(57)【要約】【課題】効率的に掘削孔の形状を確認できる掘削形状確認装置を提供する。【解決手段】掘削形状確認装置１は、コンクリート杭が埋設される掘削孔の掘削形状を確認するためのものである。この掘削形状確認装置１は、地中を掘削する掘削装置２と、この掘削装置２の地中への掘削進行とともに地中を進行する電極部８とを備える。この電極部８は、電流を流す電流電極11と、電圧を測定する電圧電極12とを有する電極ユニット９を有する。電極ユニット９は、電流電極11および電圧電極12がそれぞれ等間隔で配置されている。そして、電流電極11の電流の値と、電圧電極12での電圧の値と、電極間隔の値に基づいて比抵抗を算出し、この比抵抗によって地層の境界部分を検出する。【選択図】図１
2019190004.tif 000002
【特許請求の範囲】
【請求項１】
既製杭が埋設される掘削孔を掘削する掘削装置に設けられ、掘削孔の掘削形状を確認するための掘削形状確認装置であって、
前記掘削装置の地中への掘削進行とともに地中を進行する電極部を備え、
前記電極部は、電流を流す電流電極と、電圧を測定する電圧電極とを有する電極ユニットを有し、
前記電極ユニットは、前記電流電極および前記電圧電極がそれぞれ等間隔で配置されている
ことを特徴とする掘削形状確認装置。
【請求項２】
電極部は、複数の電極ユニットを有し、各電極ユニット同士は、それぞれの電流電極および電圧電極の配置間隔が異なる
ことを特徴とする請求項１記載の掘削形状確認装置。
【請求項３】
掘削部は、掘削部本体と、この掘削部本体に対して先端部が接離するように回動可能に設けられた掘削翼とを有し、
前記掘削翼に電極ユニットが設けられている
ことを特徴とする請求項１記載の掘削形状確認装置。
【請求項４】
既製杭が埋設される掘削孔の掘削形状を確認するための掘削形状確認方法であって、
それぞれ等間隔に配置された電流電極および電圧電極を有する電極ユニットによって、掘削孔の所定位置において、前記電流電極に所定値の電流を流すことで電圧電極に印加される電圧の値を測定し、
前記電流の値と電圧の値と電流電極および電圧電極の電極間隔とに基づいて、前記電極ユニットからの所定距離の領域における比抵抗を算出し、
その比抵抗の変化に基づいて地層の境界部分を検出する
ことを特徴とする掘削形状確認方法。
【請求項５】
掘削孔内の所定位置において、電極間隔を変化させることにより比抵抗の変化を検知する
ことを特徴とする請求項４記載の掘削形状確認方法。
【請求項６】
掘削孔内の所定位置において、電流電極および電圧電極の掘削孔内における径方向の位置を変化させることにより比抵抗の変化を検知する
ことを特徴とする請求項４記載の掘削形状確認方法。
【発明の詳細な説明】
【技術分野】
【０００１】
本発明は、既製杭が埋設される掘削孔の掘削形状を確認する掘削形状確認装置および掘削形状確認方法に関する。
【背景技術】
【０００２】
上部構造物を施工する際には、その上部構造物の荷重をコンクリート杭等の既製杭を通じて支持層の広範囲へ伝達するために、杭の最深部に根固め部が形成される。
【０００３】
根固め部は、より大きな支持力を確保するために、杭の外径より一回り大きく掘削され、その杭と掘削孔における根固め部を構成する部分との間にソイルセメントが充填される。
【０００４】
このような根固め部は、杭を埋設するための掘削孔の最深部に位置するため、施工途中にその掘削形状を直接目視で確認することはできない。
【０００５】
そして、掘削孔において根固め部を構成する部分の掘削形状を確認するには、特許文献１に示すように、地中を掘削する掘削機械の先端部に取り付けられた掘削ヘッドの掘削翼を展開（拡大）し、回転させた状態にて掘削機械のモータに生じる負荷電流値が大きくなったことによって、掘削形状の拡大を確認する方法が知られている。
【０００６】
また、特許文献２に示すように、ボアホールソナーを用いて弾性波を水平方向に発生させることにより、地盤と根固め部（ソイルセメント）との境界部からの反射を読み取り、根固め部の形状等を推定する方法が知られている。
【先行技術文献】
【特許文献】
【０００７】
【特許文献１】特開２００２−３４８８６８号公報
【特許文献２】特開２００１−１５３６３８号公報
【発明の概要】
【発明が解決しようとする課題】
【０００８】
しかしながら、上述の特許文献１のような方法は、工程管理によって根固め部が存在しているか否かを確認できるだけであり、掘削孔における根固め部を構成する部分である拡大掘削部の形状を確認することはできない。
【０００９】
また、特許文献２のような方法では、ソイルセメントの硬化後（杭の施工から２〜４週間後）に実施する必要があり作業に時間を要するとともに、ボアホールソナーを有する装置を設置するためにボーリング孔を設ける必要があるため、作業費用も上昇してしまう。さらに、杭の施工から時間が経過しているため、その確認作業によって不備が発見された場合には、杭を再施工する必要がある。
【００１０】
したがって、時間的にも費用的にも効率的に掘削孔の形状を確認できる技術が求められていた。
【００１１】
本発明はこのような点に鑑みなされたもので、効率的に掘削孔の形状を確認できる掘削形状確認装置および掘削形状確認方法を提供することを目的とする。
【課題を解決するための手段】
【００１２】
請求項１に記載された掘削形状確認装置は、既製杭が埋設される掘削孔を掘削する掘削装置に設けられ、掘削孔の掘削形状を確認するための掘削形状確認装置であって、前記掘削装置の地中への掘削進行とともに地中を進行する電極部を備え、前記電極部は、電流を流す電流電極と、電圧を測定する電圧電極とを有する電極ユニットを有し、前記電極ユニットは、前記電流電極および前記電圧電極がそれぞれ等間隔で配置されているものである。
【００１３】
請求項２に記載された掘削形状確認装置は、請求項１記載の掘削形状確認装置において、電極部は、複数の電極ユニットを有し、各電極ユニット同士は、それぞれの電流電極および電圧電極の配置間隔が異なるものである。
【００１４】
請求項３に記載された掘削形状確認装置は、請求項１記載の掘削形状確認装置において、掘削部は、掘削部本体と、この掘削部本体に対して先端部が接離するように回動可能に設けられた掘削翼とを有し、前記掘削翼に電極ユニットが設けられているものである。
【００１５】
請求項４に記載された掘削形状確認方法は、既製杭が埋設される掘削孔の掘削形状を確認するための掘削形状確認方法であって、それぞれ等間隔に配置された電流電極および電圧電極を有する電極ユニットによって、掘削孔の所定位置において、前記電流電極に所定値の電流を流すことで電圧電極に印加される電圧の値を測定し、前記電流の値と電圧の値と電流電極および電圧電極の電極間隔とに基づいて、前記電極ユニットからの所定距離の領域における比抵抗を算出し、その比抵抗の変化に基づいて地層の境界部分を検出するものである。
【００１６】
請求項５に記載された掘削形状確認方法は、請求項４記載の掘削形状確認方法において、掘削孔内の所定位置において、電極間隔を変化させることにより比抵抗の変化を検知するものである。
【００１７】
請求項６に記載された掘削形状確認方法は、請求項４記載の掘削形状確認方法において、掘削孔内の所定位置において、電流電極および電圧電極の掘削孔内における径方向の位置を変化させることにより比抵抗の変化を検知するものである。
【発明の効果】
【００１８】
本発明によれば、比抵抗の変化を検知することにより、掘削孔とその外側の地盤との境界部分を検出するため、効率的に掘削孔の形状を確認できる。
【図面の簡単な説明】
【００１９】
【図１】本発明の一実施の形態に係る掘削形状確認装置が設けられた掘削装置の構成を模式的に示す側面図である。
【図２】（ａ）は、掘削装置が地中を掘削している状態を示す模式図であり、（ｂ）は、掘削形状確認装置によって掘削孔の形状を確認している状態を示す模式図であり、（ｃ）は、掘削装置が掘削孔から引き抜かれた状態を示す模式図であり、（ｄ）は、掘削孔にコンクリート杭が埋設された状態を示す模式図である。
【図３】同上掘削形状確認装置の電極ユニットによる比抵抗値の測定方法を示す説明図である。
【図４】同上掘削形状確認方法によって算出した比抵抗の変化を示すグラフである。
【図５】同上掘削形状確認方法を示すフローチャートである。
【発明を実施するための形態】
【００２０】
以下、本発明の一実施の形態の構成について図面を参照しながら詳細に説明する。
【００２１】
図１において、１は掘削形状確認装置であり、この掘削形状確認装置１は、地中を支持層まで掘削しながらセメントミルク等の根固め液を注入可能なオーガ等の掘削装置２に適用される。
【００２２】
掘削装置２は、地中を進行方向に向かって掘削する掘削部本体としての掘削ヘッド３と、この掘削ヘッド３とともに地中を掘削可能な掘削翼４とを有している。
【００２３】
掘削翼４は、先端部が掘削ヘッド３に対して接離するように回動可能に設けられている。すなわち、掘削翼４は、基端部側が掘削ヘッド３に回動可能に軸支され、その軸支された部分を中心に先端部が回動可能である。
【００２４】
そして、掘削装置２は、掘削翼４が掘削ヘッド３に接近した通常状態、および、掘削翼４が掘削ヘッド３から外側へ離間した拡大状態のいずれの状態でも地中を掘削可能である。すなわち、掘削装置２は、図２に示すように、通常状態で掘削ヘッド３および掘削翼４にて所定深さ（支持層）まで地中を掘削することで、掘削孔５における上側掘削部６を形成する。また、支持層に達した後に、拡大状態で掘削することで、掘削孔５における拡大掘削部７を形成する。
【００２５】
掘削形状確認装置１は、掘削装置２の地中への掘削進行にともなって地中を進行する電極部８とを備え、電極部８は、掘削翼４の先端部に設けられた電極ユニット９を有している。
【００２６】
電極ユニット９は、電流を流す１組（２つ）の電流電極11と、電圧を測定する１組（２つ）の電圧電極12とを有している。
【００２７】
これら電流電極11および電圧電極12は、それぞれ１列で等間隔（電極間隔ａ）で配置され、１組の電流電極11の内側に１組の電圧電極12が配置されている。
【００２８】
そして、掘削装置２により地中を掘削し、電極ユニット９が地層内に位置した状態にて電流電極11に所定値の電流Ｉを流すことで、電圧電極12にて電位差（電圧）Ｖを測定できる。
【００２９】
また、それら電流Ｉおよび電圧Ｖに基づいて、電極ユニット９が配置された地層に関して、その地層を構成する物質特有の抵抗Ｒを求めることができる。
【００３０】
さらに、電流電極11および電圧電極12が１列で等間隔の電極間隔ａで配置されているため、抵抗Ｒの値と電極間隔ａの値とに基づいて、その地層における電極ユニット９からの電極間隔ａと等しい範囲の領域の比抵抗ρを求めることができる。
【００３１】
すなわち、図３に示すように、一の電極ユニット９における電流電極11および電圧電極12の電極間隔をａとし、電流電極11に所定値の電流Ｉを流すことで電圧電極12にて測定される電圧Ｖによって、抵抗Ｒ（Ω）＝電圧Ｖ（Ｖ）／電流Ｉ（Ａ）の式から抵抗Ｒが算出される。また、抵抗Ｒおよび電極間隔ａに基づいて、電流電極11および電圧電極12から電極間隔ａと等しい距離の領域における比抵抗ρが、ρ（Ω・ｍ）＝２πａＲの式から算出される。
【００３２】
この比抵抗ρは、地層を構成する物質の組成が同じであれば一定値となり、地層を構成する物質の組成が異なると変化する。
【００３３】
そして、電極間隔ａを変化させていくか、または、電流電極11および電圧電極12の拡大掘削部７内における径方向の位置を変化させていくことによって、比抵抗ρを測定する位置を変化させていき、比抵抗ρが急激に変化した箇所は、異なる地層同士の境界部分Ｂであると判断できる。言い換えると、電極ユニット９が一の地層に配置された状態にて、電極間隔ａが電極ユニット９から他の地層との境界部分Ｂまでの距離ｂと等しくなると、他の地層の影響によって比抵抗ρが変化する。
【００３４】
したがって、地中を掘削し根固め液を注入し、土砂と根固め液と混合撹拌してソイルセメント13を構成した後に、比抵抗ρを測定しながら掘削翼４を拡大させていき、比抵抗ρの変化を検知することで、掘削孔５においてソイルセメント13が行きわたっている拡大掘削部７（根固め部）と、その外側の地層（地盤）との境界部分Ｂを検出できる。
【００３５】
なお、図１に示すように、掘削ヘッド３の中心から掘削翼４の先端部までの距離をＬとし、掘削ヘッド３に対する掘削翼４の角度をθとし、掘削翼４の長さをｌとすると、Ｌ＝ｌｓｉｎθとなり、比抵抗ρをＹ軸とし、拡大掘削部７の径方向における電極ユニット９の位置に相当する掘削装置２の中心から掘削翼４の先端部までの距離ＬをＸ軸とすると、比抵抗ρを測定しながら掘削翼４を回動させて掘削翼４の先端部までの距離Ｌを変化させることで、例えば図４のグラフが得られる。
【００３６】
そして、図４に示すように、掘削翼４を回動させて距離Ｌが一定の長さ以上になると、比抵抗ρが急激に変化するため、この比抵抗ρが変化した距離Ｌと、電極間隔ａとの和によって、拡大掘削部７において電極ユニット９が位置する深さの断面上における地層の境界部分Ｂを検出できる。
【００３７】
また、掘削装置２を拡大掘削部７において鉛直方向に移動させながら所定深さの断面毎に境界部分Ｂを検出していくことで、掘削孔５における拡大掘削部７の掘削形状を特定できる。
【００３８】
次に、上記掘削形状確認装置による掘削孔５の形成および形状確認方法について図５を参照しながら説明する。
【００３９】
まず、掘削翼４に電極ユニット９を取り付ける（ステップ１）。
【００４０】
図２（ａ）に示すように、通常状態の掘削装置２によって、所定の深度（支持層）まで地中を掘り進める（ステップ２）。
【００４１】
掘削が支持層に達した後、掘削装置２を拡大状態にして拡大掘削部７を掘削し、予めミキシングプラントで練り混ぜた根固め液を注入する（ステップ３）。
【００４２】
また、掘削孔５内において、注入した根固め液と掘削した土砂とを掘削翼４によって混合撹拌して、ソイルセメント13を構成する（ステップ４）。
【００４３】
図２（ｂ）に示すように、電流電極11に所定値の電流Ｉを流して、電極間隔ａおよび電圧電極12で測定した電圧Ｖに基づいて比抵抗ρを算出しながら、掘削翼４を徐々に拡大させることで、掘削拡大部７において電極ユニット９が存在する断面上における地層の境界部分を検出する（ステップ５）。
【００４４】
また、鉛直方向に計測を繰り返して所定深さの断面毎に比抵抗を算出し（ステップ６）、掘削孔５において根固め部を構成する拡大掘削部７の形状を特定する。
【００４５】
その特定した拡大掘削部７の形状が予め根固め部として設計された規定値を満たすか確認する（ステップ７）。
【００４６】
規定値を満たしていない場合には、ステップ２へ戻って再度掘削を行う。
【００４７】
一方、規定値を満たしている場合には、図２（ｃ）に示すように、掘削形状確認装置１を掘削孔５から引き上げ（ステップ８）、その後、図２（ｄ）に示すように、既製杭としてのコンクリート杭14をその掘削孔５に埋設する。
【００４８】
次に、上記一実施の形態における作用および効果を説明する。
【００４９】
上記一実施の形態によれば、電極部８によって比抵抗ρの変化を検知することにより、根固め部とその外側の地盤との地層の境界部分Ｂを検出できるため、コンクリート杭14の施工作業に伴って掘削孔における拡大掘削部７の掘削形状を確認できる。また、掘削中または掘削直後の根固め液が固化していない状態にて、掘削形状を確認できるため、コストおよび作業時間を抑えることができる。したがって、効率的に掘削孔の形状を確認できる。また、確認の結果、不備が発見され場合であっても、再施工による是正が比較的容易である。
【００５０】
電極ユニット９をオーガ等の既存の掘削装置２に取り付けることにより構成できるため、専用の掘削装置を製造する必要がなく、大規模な改造も不要である。
【００５１】
また、既知のコンクリート杭工法に容易に適用できるため、汎用性が良好であり、容易に実施できる。
【００５２】
掘削作業に伴って掘削形状を確認できるため、施工する全コンクリート杭14に対して掘削孔５の掘削形状を管理できる。
【００５３】
なお、上記一実施の形態では、掘削孔５における拡大掘削部７の形状を確認する場合に適用する構成としたが、このような構成には限定されず、地層の違いによる境界部分が存在する箇所であれば掘削孔５のいずれの箇所にも適用できる。
【００５４】
掘削装置２は、掘削ヘッド３と掘削翼４とを有する構成としたが、このような構成には限定されず、地中を掘削できるものであれば適用できる。
【００５５】
また、電極ユニット９は、掘削翼４に設置された構成には限定されず、掘削装置２の掘削進行とともに地中を進行できる箇所であれば設置できる。
【００５６】
電極部８は、掘削翼４が回動することにより、比抵抗ρを計測する領域を変化させる構成としたが、このような構成には限定されず、電極間隔ａまたは掘削孔５の径方向における電極ユニット９の位置（掘削装置２の中心から掘削翼４の先端部までの距離Ｌ）を変化させることによって比抵抗ρを計測する領域を変化させる構成であればよい。すなわち、例えば掘削翼４とは別個に電極ユニット９を拡大掘削部７内において径方向に移動させる機構を設ける構成や、電極ユニット９の電極間隔ａを変化させることで、比抵抗ρの変化を検知する構成にしてもよい。なお、電極間隔ａを変化させる構成とは、例えば電極部は、複数の電極ユニットを有し、これら各電極ユニット同士で電極距離が異なる構成とし、電流を流す電極ユニット９を選択的に変更させていくことで、比抵抗ρを測定する電極間隔を変化させて、比抵抗ρの変化を検知する。
【符号の説明】
【００５７】
１    掘削形状確認装置
２    掘削装置
３    掘削部本体としての掘削ヘッド
４    掘削翼
５    掘削孔
８    電極部
９    電極ユニット
11    電流電極
12    電圧電極
14    既製杭としてのコンクリート杭
ａ    電極間隔
Ｉ    電流
Ｖ    電圧
ρ    比抵抗
Ｂ    境界部分
【図１】
2019190004.tif 000003
【図２】
2019190004.tif 000004
【図３】
2019190004.tif 000005
【図４】
2019190004.tif 000006
【図５】
2019190004.tif 000007